(57)【要約】【課題】  装飾効果が高く、発光装置を設置可能な導光容器を提供する。【解決手段】  導光容器１０は、透光材質からなり、収容部１と設置部２と導光部３を有する。収容部１は、導光容器１０上方に位置して、環状壁１１と底面壁１２を有し、上方に開口を有する。設置部２は、収容部１の底面壁１２上面に設けられ、環状壁１１との間に間隔を設けてペンやその他物品を収容可能である。設置部２は、発光装置を設置して、発光装置の発光体が底面壁１２へ向けて光線を発する。導光部３は、収容部１下方に設けられ、底面壁１２へ向けて発した光線を環状壁１１へ向けて屈折させる。導光容器１０は、優れた発光効果を有するランプを形成し、懐中電灯又はその他発光装置を設置位置に固定する。【選択図】  図３
0003178822.tif 000002
【実用新案登録請求の範囲】
【請求項１】
導光容器であって、
透光材質からなり、
前記導光容器の上方に位置し、環状壁、底面壁を有し、上方に開口を有する収容部と、
前記収容部の前記底面壁の上面に設けられ、前記環状壁との間に間隔を有し、発光装置を設置可能であり、前記発光装置の発光体が前記底面壁に向けて光線を発光可能な設置部と、
前記収容部の下方に設けられ、前記発光体が発する光線を前記環状壁に向けてガイドする導光部と、
を有することを特徴とする導光容器。
【請求項２】
前記設置部の前記底面壁は、上面に環状突起を設置し、
前記環状突起は、前記底面壁との間に設置溝を形成し、
前記発光装置は懐中電灯であることを特徴とする請求項１記載の導光容器。
【請求項３】
前記導光部は、前記底面壁から下方に突き出す円錐部と、前記円錐部を取り囲み下方に向かうほど内径が大きくなる第１円錐面とを有し、
前記第１円錐面は、前記円錐部との間に透過空間を有することを特徴とする請求項１又は２記載の導光容器。
【請求項４】
前記円錐部の頂点は、前記設置部の中心位置に対応し、
前記円錐部の裾は、前記第１円錐面の上端に接続されていることを特徴とする請求項３記載の導光容器。
【請求項５】
前記導光部は、前記第１円錐面を取り囲み下方に向かうほど内径が小さくなる第２円錐面を有し、
前記第２円錐面は、光線を反射可能であり、前記底面壁の外側であって前記環状壁の下方に対応する位置に設けられていることを特徴とする請求項４記載の導光容器。
【請求項６】
前記収容部の前記環状壁の内周面は、複数列の凹弧面を有することを特徴とする請求項５記載の導光容器。
【請求項７】
前記導光部は、前記底面壁から下方に突き出す円錐部と、前記円錐部を取り囲み下方に向かうほど内径が大きくなる第１円錐面と、前記第１円錐面を取り囲み下方に向かうほど内径が小さくなる第２円錐面とを有し
前記第１円錐面は、前記円錐部との間に透過空間を有し、
前記第２円錐面は、光線を反射可能であり、前記底面壁の外側であって前記環状壁の下方に対応する位置に設けられていることを特徴とする請求項１又は２記載の導光容器。
【請求項８】
前記収容部の前記環状壁の内周面は、複数列の凹弧面を有することを特徴とする請求項７記載の導光容器。
【考案の詳細な説明】
【技術分野】
【０００１】
本考案は、導光容器に関し、特に発光装置を設置可能な容器に関する。
【背景技術】
【０００２】
従来の導光容器は収容物体である。装飾効果を向上させるために、導光容器は、底部に発光装置を設置するように設計され、発光装置の発光体が射出する光線が容器の上方へ向かうことにより装飾質感を向上させている。図６に示すように、従来の導光容器は、主に容器１’と発光体２’を有する。容器１’は、透光材質からなり、底面壁１１’と環状壁１２’を有する。発光体２’は、底面壁１１’の下方に設けられている。発光体２’が射出する光線が底面壁１１’から透過し、また環状壁１２’及び容器１’の頂部から拡散することにより、発光装飾効果を得ることができる。
【考案の概要】
【考案が解決しようとする課題】
【０００３】
しかし、図７に示すように、従来の導光容器では、発光体２’が発出する光線は、容器１’内に収容する不透光物体３’に妨害されて、容器１’の上方、側面方向へ拡散することができない。そのため、発光装飾効果が損なわれる。又、容器１’は発光体２’を固定する必要があるので、懐中電灯又はその他の外部発光装置と組み合わせて使用するのが困難で、実用性に欠けている。
【０００４】
また、一般の懐中電灯は、配置位置に固定するフレームを設置していないので、通常室内に懐中電灯を常備していても、地震やその他の原因により停電したときに懐中電灯は配置位置に固定されていないために、暗闇の中で懐中電灯を探さなければならないという危険な状況に陥りやすい。
【０００５】
本考案の目的は、装飾効果が高く、発光装置を設置可能な導光容器を提供することである。
【課題を解決するための手段】
【０００６】
本考案による導光容器は、透光材質からなり、収容部と設置部と導光部とを含む。収容部は、導光容器の上方に位置し、環状壁と底面壁を有し、上方に開口を有する。設置部は、収容部の底面壁の上面に設けられ、突起と環状壁との間に間隔を有し、ペンやその他の物品を収容可能である。懐中電灯の端部又はその他の発光装置を設置可能であり、発光体が底面壁に向けて光線を発光可能である。導光部は、収容部の下方に設けられ、発光体が発した光線を収容部の環状壁に向けてガイドする。
【０００７】
本考案によれば、懐中電灯又はその他の発光装置を設置して、懐中電灯を配置位置に固定可能である。従って、地震又はその他の原因による突然の停電時に、使用者は、懐中電灯を容易に取り出せるので、安全性を確保することができ、又、収容部内にペンやその他の物品を収容して実用性を向上させる。懐中電灯又はその他の発光装置が射出する光線が導光部により収容部の環状壁に向けて導光されるので、収容部に不透光物体を設置したときも本考案の容器は依然影響を受けず、優れた発光効果を有し、発光装飾機能も兼ね備える。本考案により導光容器は、終夜灯、キャンプランタン又はその他のランプとして使用することができる。
【図面の簡単な説明】
【０００８】
【図１】本考案の第１実施形態による導光容器の斜視図である。
【図２】図１の導光容器を別の角度から見た斜視図である。
【図３】図１の導光容器の断面図である。
【図４】図１の導光容器に設置された発光装置が発光したときの断面図である。
【図５】図１の導光容器の光線の屈折ルートを示す断面図である。
【図６】発光体を有する従来の導光容器の断面図である。
【図７】従来の導光容器に収容された物品が発光経路上にある状態を示す断面図である。
【考案を実施するための形態】
【０００９】
図１〜４に示すように、本実施形態の容器１０は透光材質からなり、収容部１と設置部２と導光部３を含む。収容部１は、容器１０上方に位置して、環状壁１１と底面壁１２を有し、上方に開口１３を有する。環状壁１１は、内側面１１１と外側面１１２を有し、内側面１１１は、複数列の凹弧面１１３を有する。
【００１０】
設置部２は、収容部１の底面壁１２上面に設けられ、底面壁１２の上面の中央に環状突起２１を上向きに設置する。環状突起２１と環状壁１１との間に間隔２２を有して物品を収容する。本実施形態は、ペン５を収容するが、その他の物品も収容可能である。突起２１と底面壁１２との間に設置溝２３を形成して、懐中電灯４の端部を設置溝２３に嵌置させ、懐中電灯４の発光体４１を底面壁１２方向へ向けて光線を発出することができ、又、突起２１が集光効果を備えることができる。
【００１１】
導光部３は、収容部１の下方に設けられ、光線経路を環状壁１１へガイドして更に環状壁１１から導出する。導光部３は、円錐部３１と第１円錐面３２と第２円錐面３３を有する。円錐部３１は、逆円錐形体であり、底面壁１２の底面の設置部２下方に対応する位置に設けられ、円錐部３１の頂点を設置部２中心に対応させ、且つ前記円錐部３１は断面が斜め直線を呈する錐面３１１を有する。又、第１円錐面３２は、正円円錐面であり、円錐部３１の外囲に設けられて光線を屈折する。第１円錐面３２の頂端と円錐部３１が接続し、且つ第１円錐面３２と円錐部３１との間に透過空間３２１を有する。又、第２円錐面３３は、逆円円錐面であり光線を反射し、底面壁１２の外側の環状壁１１下方に対応する位置に設けられる。
【００１２】
本実施形態は、懐中電灯４又はその他の発光装置（図示せず）を設置でき、又、懐中電灯４を設置位置に固定可能であり、地震又はその他の原因による突然の停電時に使用者が懐中電灯４を容易に安全に取りだすことができる。又、収容部１内にペン５又はその他の物品（図示せず）を収容して、実用性を向上させることができる。
【００１３】
図４及び図５を参照する。そのうち、図５は懐中電灯４及びペン５を表示していない。本実施形態の懐中電灯４の発光体４１が光線を発出するとき、光線は収容部１の底面壁１２を透過して円錐部３１に進入し、大部分の光線は円錐部３１から反射して側面方向から錐面３１１へ導出される。図５は局部光線により説明する。そのうち、光線Ｌ１が円錐部３１内に進入して反射され光線Ｌ２を形成し、光線Ｌ２は更に錐面３１１から透過空間３２１に進入して空気媒体屈折により外側環状壁１１下方へ向けた光線Ｌ３を形成する。又、光線Ｌ３は空気媒体により更に第１円錐面３２を透過して底面壁1２に屈折進入して環状壁１１へ向かう屈折光線Ｌ４を形成し、且つ光線Ｌ４は第２円錐面３３により反射され環状壁１１上方へ向かう光線Ｌ５を形成する。又、光線Ｌ５が環状壁１１内側面１１１の凹弧面１１３により反射され反射光線Ｌ６を形成して更に環状壁１１の外側面１１２から導出される。凹弧面１１３は光線を反射する機能を提供する以外に、凹弧面１１３に対応する異なる位置の光線（図示せず）を異なる角度から反射させることにより外向きの光拡散効果を有する。そして、本実施形態は収容部１内に不透光物体を設置したとき、本実施形態の容器１０は依然影響を受けずに優れた光拡散効果を有して、装飾効果を兼ね備える。又、終夜灯やキャンプランタン又はその他のランプとして使用できる。
【００１４】
この他、本実施形態は、懐中電灯４を固定位置に設置して、懐中電灯４を取り出していないときコンセント（図示せず）に接続でき、懐中電灯４が長時間使用時に持続して発光することができるので、容器１０を長時間使用できるランプとすることができる。又、停電時にも懐中電灯４は使用者が取り出して使用できるように依然十分な電力を有しており、使用において優れた安全性を有する。
【産業上の利用可能性】
【００１５】
以上により、本実施形態が優れた実用性と安全性を有することを述べた。又、本実施形態の第２円錐面を設置していないときも円錐部と第１円錐面により大部分の光線を下方へ導出させずに、容器の環状壁方向へ導出させることができる。したがって、第２円錐面を設置しなくとも、従来の発光容器と比較して優れた発光効果を有する。又、本実施形態の凹弧面が設置されなくとも、光線が環状壁から透過して優れた容器導光効果を有する。又、本実施形態は本考案の例示であって、本考案を制限するものではない。本考案の本質によりなされた等価の改変も本考案の範囲に属する。
【符号の説明】
【００１６】
１０  ・・・導光容器
１    ・・・収容部
１１  ・・・環状壁
１１１・・・内側面
１１２・・・外側面
１１３・・・凹弧面
１２  ・・・底面壁
１３  ・・・開口
２    ・・・設置部
２１  ・・・突起
２２  ・・・間隔
２３  ・・・設置溝
３    ・・・導光部
３１  ・・・円錐部
３１１・・・錐面
３２  ・・・第１円錐面
３２１・・・透過空間
３３  ・・・第２円錐面
４    ・・・懐中電灯
４１  ・・・発光体
５    ・・・ペン
１’  ・・・容器
１１’・・・底面壁
１２’・・・環状壁
２’  ・・・発光体
３’  ・・・物品
【図１】
0003178822.tif 000003
【図２】
0003178822.tif 000004
【図３】
0003178822.tif 000005
【図４】
0003178822.tif 000006
【図５】
0003178822.tif 000007
【図６】
0003178822.tif 000008
【図７】
0003178822.tif 000009